(57)【特許請求の範囲】
【請求項１】
撮像手段と、
前記撮像手段で撮影された画像から、ホームページアドレスを表す文字列を抽出する抽出手段と、
前記抽出手段で抽出された文字列を示す情報を記憶する手段とを備え、
前記抽出手段は、
前記撮像手段で撮影された画像から、文字認識により、文字と文字との間に１文字分以上のブランクが存在していない所定文字数の文字列を探す第１の処理と、
前記第１の処理によりみつかった文字列の中に、ホームページアドレスの先頭部分に用いられている文字列である‘http:// ’が存在するか否かを判断する第２の処理と、
前記第２の処理において‘http:// ’が存在すると判断した場合、前記画像から、‘http:// ’の後の、文字が途絶えるかまたは１文字分以上のブランクがあく手前までの文字列を認識し、認識した文字列の先頭に‘http:// ’を付加した文字列を、ホームページアドレスを表す文字列として決定する第３の処理と、
前記第２の処理において‘http:// ’が存在しないと判断した場合、前記第１の処理によりみつかった文字列の中に、ホームページアドレスを略記する際に先頭部分に用いられている文字列である‘www.’が存在するか否かを判断する第４の処理と、
前記第４の処理において‘www.’が存在すると判断した場合、前記画像から、‘www.’の後の、文字が途絶えるかまたは１文字分以上のブランクがあく手前までの文字列を認識し、認識した文字列の先頭に‘http://www. ’を付加した文字列を、ホームページアドレスを表す文字列として決定する第５の処理とを行う
携帯端末。
【請求項２】
請求項１に記載の携帯端末において、
前記抽出手段で抽出されたホームページアドレスの文字列を示すキャラクタデータを作成する手段と、
前記キャラクタデータを可視的に表示する手段をさらに備えた
携帯端末。
【請求項３】
それぞれホームページアドレスが表示された複数の広告と、
各々の前記広告にホームページアドレスが表示されたホームページとして、該広告の内容自体に関する事項が掲載されたページをトップページとするホームページをそれぞれ開設するＷＷＷサーバーと、
撮像手段と、該撮像手段で撮影された画像から、ホームページアドレスを表す文字列を抽出する抽出手段と、該抽出手段で抽出された文字列を示す情報を記憶する手段とを備えた携帯端末とを含み、
前記携帯端末の前記抽出手段は、
前記撮像手段で撮影された画像から、文字認識により、文字と文字との間に１文字分以上のブランクが存在していない所定文字数の文字列を探す第１の処理と、
前記第１の処理によりみつかった文字列の中に、ホームページアドレスの先頭部分に用いられている文字列である‘http:// ’が存在するか否かを判断する第２の処理と、
前記第２の処理において‘http:// ’が存在すると判断した場合、前記画像から、‘http:// ’の後の、文字が途絶えるかまたは１文字分以上のブランクがあく手前までの文字列を認識し、認識した文字列の先頭に‘http:// ’を付加した文字列を、ホームページアドレスを表す文字列として決定する第３の処理と、
前記第２の処理において‘http:// ’が存在しないと判断した場合、前記第１の処理によりみつかった文字列の中に、ホームページアドレスを略記する際に先頭部分に用いられている文字列である‘www.’が存在するか否かを判断する第４の処理と、
前記第４の処理において‘www.’が存在すると判断した場合、前記画像から、‘www.’の後の、文字が途絶えるかまたは１文字分以上のブランクがあく手前までの文字列を認識し、認識した文字列の先頭に‘http://www. ’を付加した文字列を、ホームページアドレスを表す文字列として決定する第５の処理とを行う
広告システム。
【発明の詳細な説明】
【０００１】
【発明の属する技術分野】
本発明は、広告にホームページアドレスが表示されているホームページを簡単に閲覧できるようにするための携帯端末及び広告システムに関する。
【０００２】
【従来の技術】
今日、電車やバスの車内広告や、屋内外の看板広告や、雑誌に掲載される広告や、テレビに画面表示される広告などにおいて、広告主である企業や団体がインターネット上に開設しているホームページのアドレス（ＵＲＬ）が表示されることが多くなっている。
【０００３】
従来、こうした広告を見てホームページを閲覧しようとする者は、広告に表示されているＵＲＬを、手書きでメモするか、あるいは、携帯電話やＰＤＡ（携帯情報端末）やパーソナルコンピュータにキー操作で入力していた。
【０００４】
また従来、こうした広告に表示されるＵＲＬは、広告の内容自体に関する事項が掲載されているホームページのＵＲＬではなく、広告主である企業や団体が開設しているホームページのうちのトップページのＵＲＬであることが多かった。（本明細書では、Ｗｅｂページ全体をホームページと呼び、Ｗｅｂページのうちの最初のページをトップページと呼ぶ。）
【０００５】
例えば、クラシックコンサートの広告では、そのコンサートの出演者や日程や入場料が掲載されたホームページのＵＲＬではなく、そのコンサートの会場となるコンサートホールが開設しているホームページのうちのトップページのＵＲＬが表示され、また例えば、電気製品の広告では、広告されている電気製品の構成や仕様が掲載されているホームページのＵＲＬではなく、その電気製品を製造するメーカーが開設しているホームページのうちのトップページのＵＲＬが表示されるといった具合である。
【０００６】
その理由の１つとしては、広告の内容自体に関する事項が掲載されたホームページのＵＲＬは、企業や団体のトップページのＵＲＬの後にさらに長く文字が続くことが多い（例えば、メーカーのトップページのＵＲＬが‘http://www. ○○. co.jp ’であるとすると、広告している電気製品の構成や仕様が掲載されたホームページのＵＲＬは‘http://www. ○○.co.jp／○○／○○／○○.html ’になってしまう）ので、広告の中で表示するとスペースを多くとってしまう（同じスペースで表示しようとすると文字が小さくなってしまう）ことが挙げられる。
【０００７】
また、別の理由としては、ホームページのうちトップページ以外のページのＵＲＬは変更する（トップページのＵＲＬの後に続く文字の部分を変更する）機会が比較的多いので、変更後にもホームページを閲覧してもらうためにはトップページのＵＲＬを表示しておいたほうがよいということも挙げられる。
【０００８】
したがって、こうした広告を見て広告内容自体に関する事項が掲載されたページを閲覧しようとする者は、まず企業や団体のトップページを開き、そのトップページから項目を選んで、広告内容自体に関する事項が掲載されたページにジャンプ（規模の大きい企業や団体のホームページの場合には何段階もジャンプ）していた。
【０００９】
【発明が解決しようとする課題】
しかし、広告に表示されているＵＲＬを手書きする作業やキー入力する作業を行うことは面倒であり、テレビに画面表示される広告の場合にはこうした作業を行う時間的余裕もない。
【００１０】
そのため、広告を見てホームページを閲覧したいと思っても、そうした作業を行わないままやり過ごし、ホームページを閲覧できずじまいになってしまうことが少なくなかった。
【００１１】
また、広告内容自体に関する事項が掲載されたページだけを閲覧したい（広告主である企業や団体のトップページは特に閲覧したくない）場合には、企業や団体のトップページから項目を選んでそのページにジャンプするという作業を行うことはやはり面倒である。
【００１２】
本発明は、上述の点に鑑み、広告にＵＲＬが表示されているホームページを、面倒な作業を行うことなく簡単に閲覧できるようにすることを課題としてなされたものである。
【００１３】
【課題を解決するための手段】
この課題を解決するために、本出願人は、撮像手段と、この撮像手段で撮影された画像から、ＵＲＬを表す文字列を抽出する抽出手段と、この抽出手段で抽出された文字列を示す情報を記憶する手段とを備え、この抽出手段は、撮像手段で撮影された画像から、文字認識により、文字と文字との間に１文字分以上のブランクが存在していない所定文字数の文字列を探す第１の処理と、第１の処理によりみつかった文字列の中に、ホームページアドレスの先頭部分に用いられている文字列である‘http:// ’が存在するか否かを判断する第２の処理と、第２の処理において‘http:// ’が存在すると判断した場合、この画像から、‘http:// ’の後の、文字が途絶えるかまたは１文字分以上のブランクがあく手前までの文字列を認識し、認識した文字列の先頭に‘http:// ’を付加した文字列を、ホームページアドレスを表す文字列として決定する第３の処理と、第２の処理において‘http:// ’が存在しないと判断した場合、第１の処理によりみつかった文字列の中に、ホームページアドレスを略記する際に先頭部分に用いられている文字列である‘www.’が存在するか否かを判断する第４の処理と、第４の処理において‘www.’が存在すると判断した場合、この画像から、‘www.’の後の、文字が途絶えるかまたは１文字分以上のブランクがあく手前までの文字列を認識し、認識した文字列の先頭に‘http://www. ’を付加した文字列を、ホームページアドレスを表す文字列として決定する第５の処理とを行う携帯端末を提案する。
【００１４】
ＵＲＬが表示されている広告を見て、そのホームページを閲覧しようとする者が、この携帯端末を使用して撮像手段でその広告を撮影すると、その撮影された画像から、そのＵＲＬを表す文字列が抽出手段によって抽出される。そして、その文字列を示す情報がこの携帯端末に記憶される。
【００１５】
これにより、この携帯端末に記憶された情報に基づいてホームページを閲覧する（この携帯端末自体がＷＷＷブラウザを搭載している場合にはこの携帯端末で閲覧し、この携帯端末自体がＷＷＷブラウザを搭載していない場合には、ＷＷＷブラウザを搭載している端末にその情報を送信してその端末で閲覧する）ことができるようになる。
【００１６】
このように、この携帯端末を使用すれば、広告にＵＲＬが表示されているホームページが、そのＵＲＬを手書きまたはキー入力するという面倒な作業を行うことなく、その広告を撮影するだけで簡単に閲覧できるようになる。
【００１８】
また、ＵＲＬを表す文字列を、‘http:// ’や‘www.’といったＵＲＬの先頭部分に特有の文字列に着眼して抽出するので、広告に表示されているＵＲＬ以外の文字がＵＲＬと一緒に撮像手段で撮影された場合にも、それらの文字の中からＵＲＬを表す文字列だけを抽出することができる。
【００１９】
また、この携帯端末において、一例として、抽出手段で抽出されたＵＲＬの文字列を示すキャラクタデータを作成する手段と、このキャラクタデータを可視的に表示する手段をさらに備えることが好適である。
【００２０】
それにより、広告に表示されているＵＲＬが誤りなく抽出されて携帯端末に記憶されたかどうかを、視覚的に確認することもできるようになる。
【００２１】
次に本出願人は、それぞれＵＲＬが表示された複数の広告と、各々の広告にＵＲＬが表示されたホームページとして、その広告の内容自体に関する事項が掲載されたページをトップページとするホームページをそれぞれ開設するＷＷＷサーバーと、前述の本発明に係る携帯端末とを含んだ広告システムを提案する。
【００２２】
この広告システムでは、それぞれＵＲＬが表示された複数の広告の各々について、その広告にＵＲＬが表示されたホームページとして、その広告の内容自体に関する事項が掲載されたページをトップページとするホームページをそれぞれ開設するＷＷＷサーバーが設けられる。
【００２３】
この広告を見てホームページを閲覧しようとする者が、前述の本発明に係る携帯端末を使用して撮像手段でこの広告を撮影し、携帯端末に記憶された情報に基づいてこのＷＷＷサーバーにアクセスすると、この広告の内容自体に関する事項が掲載されたページがトップページとして最初に開かれる。
【００２４】
このように、この広告システムによれば、広告にＵＲＬが表示されているホームページが、その広告を撮影するだけで簡単に閲覧できるようになり、且つ、この広告内容自体に関する事項が掲載されたページだけを閲覧したい（広告主である企業や団体のトップページは特に閲覧したくない）場合にも、企業や団体のトップページから項目を選んでそのページにジャンプするという面倒な作業を行うことなく、簡単にそのページを閲覧することができる。
また、携帯端末の抽出手段は、ＵＲＬを表す文字列を、‘http:// ’や‘www.’といったＵＲＬの先頭部分に特有の文字列に着眼して抽出するので、広告に表示されているＵＲＬ以外の文字がＵＲＬと一緒に撮像手段で撮影された場合にも、それらの文字の中からＵＲＬを表す文字列だけを抽出することができる。
【００２５】
【発明の実施の形態】
以下、本発明を図面を用いて具体的に説明する。
【００２６】
最初に、本発明に係る携帯端末の具体例を説明する。
図１は、本発明に係る携帯端末としての機能を持たせた携帯電話の外観の一例を示す。この携帯電話１は、ズーム機能付きのＣＣＤカメラ２を取り付けるとともにＷＷＷブラウザを搭載したタイプの携帯電話である。ＣＣＤカメラ２は、レンズ２ａを携帯電話１の前面, 上側, 背面のいずれの方向に向けても撮影を行えるように回動可能に取り付けられている。
【００２７】
携帯電話１内において携帯電話１の全体を制御するマイコロコンピュータには、ＣＣＤカメラ２で撮影が行われたことに基づいて図２に示すような処理を実行するプログラムがインストールされている。
【００２８】
この処理では、最初に、ＣＣＤカメラ２で撮影された画像を、携帯電話１内のメモリに記憶する（ステップＳ１）。
【００２９】
続いて、この画像から、文字認識アルゴリズム（望ましくは、文字や写真や図が混在した画像から、認識対象の文字を抽出することができるもの）を用いて文字認識を行うことにより、連続している（文字と文字との間に１文字分以上のブランクが存在していない）７文字分の文字列を探す（ステップＳ２）。そして、この文字列がみつかったか否かを判断する（ステップＳ３）。
【００３０】
ノーであれば、そのまま処理を終了する。他方イエスであれば、そのみつかった文字列の中に、一般的にＵＲＬの先頭部分に用いられている文字列である‘http:// ’が存在するか否かを判断する（ステップＳ４）。
【００３１】
イエスであれば、この画像から、この文字列‘http:// ’として認識した文字列の後に連続している文字（文字が途絶えたり１文字分以上のブランクがあいたりする手前までの文字）を、文字認識アルゴリズムを用いて認識する（ステップＳ５）。そして、ステップＳ５で認識した文字列の先頭に‘http:// ’を付加した文字列を、ＵＲＬとして決定する（ステップＳ６）。
【００３２】
続いて、この決定したＵＲＬを示すキャラクタデータを作成し（ステップＳ７）、そのキャラクタデータを携帯電話１のディスプレイに表示させる（ステップＳ８）。また、携帯電話１のスピーカから、ＵＲＬを抽出したことを告知するための所定の音声を発生させる（ステップＳ９）。
【００３３】
続いて、この決定したＵＲＬを、ＷＷＷブラウザのブックマーク機能（お気に入りのＵＲＬを登録する機能）を用いてブックマークに追加させる（ステップＳ１０）。そして処理を終了する。
【００３４】
他方、ステップＳ４でノーとなった場合には、みつかった文字列の中に、ＵＲＬを略記する際に先頭部分に用いられている文字列である‘www.’を含むものが存在するか否かを認識する（ステップＳ１１）。
【００３５】
イエスであれば、この画像から、この文字列‘www.’として認識した文字列の後に連続している文字（文字が途絶えたり１文字分以上のブランクがあいたりする手前までの文字）を、文字認識アルゴリズムを用いて認識する（ステップＳ１２）。そして、ステップＳ１２で認識した文字列の先頭に‘http://www. ’を付加した文字列を、ＵＲＬとして決定する（ステップＳ１３）。そして前述のステップＳ７に移る。
【００３６】
他方、ステップＳ１１でもノーとなった場合には、そのまま処理を終了する。
【００３７】
このマイクロコンピュータがこの図２の処理以外に実行する処理は、既存の同タイプの（ＣＣＤカメラを取り付けるとともにＷＷＷブラウザを搭載した）携帯電話における処理と同様である。
【００３８】
また、携帯電話１のハードウェア構成自体も、既存の同タイプの携帯電話と同様である。（ただし、ＣＣＤカメラ２の画素数は、ＣＣＤカメラ２で撮影された画像から文字を認識することを考慮して、既存の携帯電話に取り付けられるＣＣＤカメラよりも多くすることが望ましい。）
【００３９】
この携帯電話１を、広告にＵＲＬが表示されているホームページを閲覧するために使用する方法は、次の通りである。
【００４０】
図３に例示するように‘http://www. ○○.co.jp’というＵＲＬ１１ａが表示されている車内広告（電車の中吊りのポスター広告）１１を見て、そのホームページを閲覧しようとする者は、携帯電話１を使用して、広告１１のうちこのＵＲＬ１１ａが表示されている部分にＣＣＤカメラ２のレンズ２ａを向け、この部分をズームして撮影する（図に破線の枠で示すあたりが画角にはいるように撮影する）。
【００４１】
すると、図２の処理が開始され、ステップＳ１〜Ｓ３で文字列‘http:// ’が認識されるので、ステップＳ４でイエスとなる。したがって、ステップＳ５で文字列‘www.○○.co.jp’が認識され、ステップＳ６で文字列‘http://www. ○○. co.jp ’がＵＲＬとして決定される。
【００４２】
続いて、ステップＳ７〜Ｓ９で、図４に示すように‘http://www. ○○.co.jp’のキャラクタデータが携帯電話１のディスプレイに表示されるとともに、ＵＲＬの抽出が終了したことを告げる音声が携帯電話１のスピーカから発生する。
【００４３】
そして、ステップＳ１０で、ＵＲＬ‘http://www. ○○.co.jp’が携帯電話１のＷＷＷブラウザでブックマークに追加される。
【００４４】
これにより、携帯電話１のＷＷＷブラウザでそのホームページを閲覧することができる。
【００４５】
他方、図５に示すように‘www.□□.co.jp’というＵＲＬ１２ａが表示されている雑誌広告１２を見て、そのホームページを閲覧しようとする者は、携帯電話１を使用して、広告１２のうちこのＵＲＬ１２ａが表示されている部分にＣＣＤカメラ２のレンズ２ａを向け、この部分をズームして撮影する（図に破線の枠で示すあたりが画角にはいるように撮影する）。
【００４６】
すると、図２の処理が開始され、ステップＳ１〜Ｓ３で文字列‘http:// ’は認識されないが文字列‘www.’が認識されるので、ステップＳ４はノーとなるがステップＳ１１でイエスとなる。したがって、ステップＳ１２で文字列‘□□.co.jp’が認識され、ステップＳ１３で文字列‘http://www. □□.co.jp’がＵＲＬとして決定される。
【００４７】
続いて、ステップＳ７〜Ｓ９で、図６に示すように‘http://www. □□.co.jp’のキャラクタデータが携帯電話１のディスプレイに表示されるとともに、ＵＲＬの抽出が終了したことを告げる音声が携帯電話１のスピーカから発生する。
【００４８】
そして、ステップＳ１０で、ＵＲＬ‘http://www. □□.co.jp’が携帯電話１のＷＷＷブラウザでブックマークに追加される。
【００４９】
これにより、携帯電話１のＷＷＷブラウザでそのホームページを閲覧することができる。
【００５０】
このように、この携帯電話１を使用すれば、広告にＵＲＬが表示されているホームページが、そのＵＲＬを手書きまたはキー入力するという面倒な作業を行うことなく、その広告をＣＣＤカメラ２で撮影するだけで簡単に閲覧可能になる。
【００５１】
また、ＵＲＬを表す文字列を、‘http:// ’や‘www.’といったＵＲＬの先頭部分に特有の文字列に着眼して抽出するので、広告に表示されているＵＲＬ以外の文字をＵＲＬと一緒にＣＣＤカメラ２で撮影してしまった場合（例えば図３の広告１１でＵＲＬ１１ａの上側の文字‘期間○○○’も撮影してしまったとき）にも、それらの文字の中から、ＵＲＬを表す文字列だけを抽出することができる。
【００５２】
また、抽出されたＵＲＬのキャラクタデータが携帯電話１のディスプレイに表示されるので、広告に表示されているＵＲＬが誤りなく抽出されたかどうかを視覚的に確認することもできる。（例えばＵＲＬが小さく表示されたり広告中の写真や図形と重なって表示されたりしている場合には、文字認識が正確に行われないことを原因としてＵＲＬが誤って抽出される事態が生じ得るので、そうした事態の有無を確認することができる。）
【００５３】
次に、本発明に係る広告システムの具体例を説明する。
図７は、本発明に係る広告システムの構成要素であるＷＷＷサーバーの一例を示す。このＷＷＷサーバー２１は、広告用ホームページの開設の受託業務を行う企業（企業Ａとする）が、インターネット上に設けたものである。ここで説明する広告システムは、このＷＷＷサーバー２１と、後に図８〜図１１に例示するような広告と、前述の図１の携帯電話１とで構成される。
【００５４】
企業Ａは、車内広告や看板広告や雑誌広告やテレビ広告を行おうとする企業や団体（広告主）から、広告用ホームページの開設を受託する。
【００５５】
そして、受託した個々の広告案件について、ＷＷＷサーバー２１内にその広告専用の領域（ディレクトリ）を割り当てる。
【００５６】
図７には、一例として、コンサートホールを運営する団体Ｂから受託した○○フィルハーモニーのクラシックコンサートの広告案件にディレクトリａｄ００１を割り当て、電機メーカーＣから受託したテレビジョンの広告案件にディレクトリａｄ００２を割り当て、同じ電機メーカーＣから受託したパーソナルコンピュータの広告案件にディレクトリａｄ００３を割り当て、スポーツ競技場を運営する団体Ｄから受託したプロサッカーチーム○○ＶＳ□□のサッカーの試合の広告案件にディレクトリａｄ００４を割り当てた様子を示している。
【００５７】
企業Ａは、これらの企業や団体から、個々の広告案件について、その広告内容自体に関する事項を掲載したＨＴＭＬ文書をインターネット経由で送信してもらう。（あるいは、企業や団体からの委託により企業Ａ側でこうしたＨＴＭＬ文書自体の作成も行ってもよい）。
【００５８】
このＨＴＭＬ文書の内容は、車内広告や看板広告や雑誌広告やテレビ広告などで掲載する内容をさらに詳細にしたものであってもよいし、あるいは車内広告や看板広告や雑誌広告やテレビ広告などで掲載する内容と全く同じであってもよい。
【００５９】
すなわち、例えばクラシックコンサートの広告において、車内広告で演奏者や会場や日時や料金を掲載する場合には、ＨＴＭＬ文書の内容は、演奏者や会場や日時や料金を掲載するとともに演奏者のプロフィールなどを掲載するものであってもよいし、あるいは、車内広告と同じく演奏者や会場や日時や料金だけを掲載するものであってもよい。
【００６０】
また、例えば電機製品の広告において、車内広告で電機製品の外観を掲載するとともに製品の構成や仕様を簡略に掲載する場合には、ＨＴＭＬ文書の内容は、製品の外観を掲載するとともに製品の構成や仕様を詳細に掲載するものであってもよいし、あるいは、車内広告と同じく製品の外観を掲載するとともに製品の構成や仕様を簡略に掲載するものであってもよい。
【００６１】
企業Ａは、このＨＴＭＬ文書をトップページとするホームページを、ＷＷＷサーバー２１内のその広告専用のディレクトリに置く。
【００６２】
すなわち、前述のコンサートホール運営団体Ｂから送信された○○フィルハーモニークラシックコンサートについてのＨＴＭＬ文書をトップページとするホームページを、ディレクトリａｄ００１に置く。また、前述の電機メーカーＣから送信されたテレビジョンについてのＨＴＭＬ文書をトップページとするホームページを、ディレクトリａｄ００２に置く。また、この電機メーカーＣから送信されたパーソナルコンピュータについてのＨＴＭＬ文書をトップページとするホームペーを、ディレクトリａｄ００３に置く。また、前述のスポーツ競技場運営団体Ｄから送信された○○ＶＳ□□のサッカーの試合の広告案件についてのＨＴＭＬ文書をトップページとするホームページを、ディレクトリａｄ００４に置く。
【００６３】
これにより、ＷＷＷサーバー２１のサイト名が‘www.xxx.co.jp ’であるとすると、団体Ｂの○○フィルハーモニークラシックコンサートの広告用のホームページのＵＲＬは‘http://www.xxx.co.jp/ad001’になり、メーカーＣのテレビジョンの広告用のホームページのＵＲＬは‘http://www.xxx.co.jp/ad002’になり、メーカーＣのパーソナルコンピュータの広告用のホームページのＵＲＬは‘http://www.xxx.co.jp/ad003’になり、団体Ｄの○○ＶＳ□□のサッカーの試合の広告用のホームページのＵＲＬは‘http://www.xxx.co.jp/ad004’になる。
【００６４】
企業Ａは、このＵＲＬを、委託を行った企業や団体に通知する。
【００６５】
委託を行った企業や団体は、委託した広告案件について、この通知されたＵＲＬを表示した広告（車内広告や看板広告や雑誌広告やテレビ広告）を行おう。その際、広告を見る者が図１の携帯電話１を使用することを前提として、ＵＲＬを大きく鮮明に表示する（さらに望ましくは、ＵＲＬを広告中の他の写真や図や文字と重なったり近づきすぎたりしないようにして表示する）。
【００６６】
図８〜図１１は、こうした過程を経て行われた広告を例示するものである。コンサートホールの運営団体Ｂが行った○○フィルハーモニーのクラシックコンサートの広告３１には、‘http://www.xxx.co.jp/ad001’というＵＲＬ３１ａが表示されている（図８）。電機メーカーＣのテレビジョンの広告３２には、‘http://www.xxx.co.jp/ad002’というＵＲＬ３２ａが表示されている（図９）。電機メーカーＣのパーソナルコンピュータの広告３３には、‘http://www.xxx.co.jp/ad003’というＵＲＬ３３ａが表示されている（図１０）。スポーツ競技場運営団体Ｄの○○ＶＳ□□のサッカーの試合の広告３４には、‘http://www.xxx.co.jp/ad004’というＵＲＬ３４ａが表示されている（図１１）。
【００６７】
この広告システムにおいて、広告を見た者が、広告にＵＲＬが表示されているホームページを閲覧するまでの手順は、次の通りである。
【００６８】
この広告システムを構成する広告を見てホームページを閲覧しようとする者は、広告のうちＵＲＬが表示されている部分を、携帯電話１を使用して、図３や図５を用いて説明したのと同じようにして撮影する。
【００６９】
その際、ＵＲＬが大きく鮮明に表示されているので、ＵＲＬを撮影しやすくなっている。
【００７０】
こうして撮影を行うと、前述の図２の処理により、このＵＲＬのキャラクタデータが携帯電話１のディスプレイに表示されるとともにＵＲＬの抽出が終了したことを告げる音声が携帯電話１のスピーカから発生し、このＵＲＬが携帯電話１のＷＷＷブラウザでブックマークに追加される。
【００７１】
この処理の際にも、大きく鮮明に表示されたＵＲＬが撮影されているので、文字認識の精度が高くなる。
【００７２】
このディスプレイの表示からＵＲＬが誤りなく抽出されたことを確認すると、携帯電話１のＷＷＷブラウザで、このブックマークされたＵＲＬを選択する。
【００７３】
すると、携帯電話１からＷＷＷサーバー２１にアクセスされて、携帯電話１でホームページが開かれる。
【００７４】
すなわち、例えば図８の○○フィルハーモニークラシックコンサートの広告３１を見た者がこうした手順を経た場合には、ＷＷＷサーバー２１のディレクトリａｄ００１に置かれている、○○フィルハーモニークラシックコンサート自体に関する事項を掲載したホームページ（トップページ）が最初に開かれる。
【００７５】
また、例えば図９のテレビジョンの広告３２を見た者がこうした手順を経た場合には、ＷＷＷサーバー２１のディレクトリａｄ００２に置かれている、テレビジョン自体に関する事項を掲載したホームページ（トップページ）が最初に開かれる。
【００７６】
また、例えば図１０のテレビジョンの広告３３を見た者がこうした手順を経た場合には、ＷＷＷサーバー２１のディレクトリａｄ００３に置かれている、パーソナルコンピュータ自体に関する事項を掲載したホームページ（広告３２のテレビジョンと同じメーカーＣの製品であるが、テレビジョンのホームページとは独立した別のトップページ）が最初に開かれる。
【００７７】
また、例えば図１１の○○ＶＳ□□のサッカーの試合の広告３４を見た者がこうした手順を経た場合には、ＷＷＷサーバー２１のディレクトリａｄ００４に置かれている、○○ＶＳ□□のサッカーの試合自体に関する事項を掲載したホームページ（トップページ）が最初に開かれる。
【００７８】
このように、この広告システムによれば、広告にＵＲＬが表示されているホームページが、その広告を携帯電話１のＣＣＤカメラ２で撮影するだけで簡単に閲覧できるようになり、且つ、この広告内容自体に関する事項が掲載されたページだけを閲覧したい（広告主である企業や団体のトップページは特に閲覧したくない）場合にも、企業や団体のトップページから項目を選んでそのページにジャンプするという面倒な作業を行うことなく、簡単にそのページを閲覧することができる。
【００７９】
なお、以上の例では、携帯電話１内のマイクロコンピュータが、広告からＵＲＬを抽出する処理として、最初に所定文字数の文字列を文字認識してその文字列の中から‘http:// ’や‘www.’を検索した後、それに続く文字を文字認識するという処理を行っている。しかし、別の例として、最初に全ての文字を文字認識しておいて、その後で、それらの文字の中から、先頭部分に‘http:// ’や‘www.’を有する文字列を検索するようにしてもよい。
【００８０】
また、本発明に係る携帯端末としての機能を持たせる携帯電話の外観は、図１に示したものとは異なっていてもよいことはもちろんである。
【００８１】
また、以上の例では携帯電話に本発明に係る携帯端末としての機能を持たせているが、ＰＤＡ（携帯情報端末）にこの携帯端末としての機能を持たせてもよい。ＷＷＷブラウザを搭載していないＰＤＡに本発明に係る携帯端末としての機能を持たせる場合には、例えば、広告から抽出したＵＲＬをテキストデータとしてＰＤＡ内のメモリに記憶するようにすればよい。それにより、ＷＷＷブラウザを搭載した端末（パーソナルコンピュータや携帯電話）にこのテキストデータを転送して、その端末でホームページを閲覧することができるようになる。
【００８２】
また、以上の例では、広告用のホームページのＵＲＬを、広告用ホームページ開設受託企業ＡのＵＲＬである‘http://www.xxx.co.jp’をもとにして‘http:  //www.xxx.co.jp/ad001’〜‘http://www.xxx.co.jp/ad004’としている。しかし、別の例として、広告主である団体Ｂ, メーカーＣ, 団体ＤのＵＲＬにそれぞれディレクトリとしてａｄ００１, ａｄ００２及びａｄ００３, ａｄ００４を付加したものを広告用のホームページのＵＲＬとしてもよい。
【００８３】
また、以上の例では、広告主とは別の企業ＡのＷＷＷサーバー２１に広告用のホームページを開設している。しかし、別の例として、こうした別の企業を介在させずに、広告主自身のＷＷＷサーバーに広告用のホームページを開設するようにしてもよい。
【００８４】
また、本発明は、以上の例に限らず、本発明の要旨を逸脱することなく、その他様々の構成をとりうることはもちろんである。
【００８５】
【発明の効果】
以上のように、本発明に係る携帯端末によれば、広告にＵＲＬが表示されているホームページが、そのＵＲＬを手書きまたはキー入力するという面倒な作業を行うことなく、その広告を撮影するだけで簡単に閲覧できるようになるという効果が得られる。
【００８６】
また、広告に表示されているＵＲＬ以外の文字がＵＲＬと一緒に撮影された場合にも、それらの文字の中からＵＲＬを表す文字列だけを抽出することができるという効果が得られる。
【００８７】
また、広告に表示されているＵＲＬが誤りなく抽出されて携帯端末に記憶されたかどうかを、視覚的に確認することができるという効果も得られる。
【００８８】
次に、本発明に係る広告システムによれば、広告にＵＲＬが表示されているホームページが、その広告を撮影するだけで簡単に閲覧できるようになり、且つ、この広告内容自体に関する事項が掲載されたページだけを閲覧したい（広告主である企業や団体のトップページは特に閲覧したくない）場合にも、企業や団体のトップページから項目を選んでそのページにジャンプするという面倒な作業を行うことなく、簡単にそのページを閲覧することができるという効果が得られる。
また、広告に表示されているＵＲＬ以外の文字がＵＲＬと一緒に撮影された場合にも、それらの文字の中からＵＲＬを表す文字列だけを抽出することができるという効果が得られる。
【図面の簡単な説明】
【図１】本発明に係る携帯端末としての機能を持たせた携帯電話の外観の一例を示す図である。
【図２】図１の携帯電話内のマイクロコンピュータが実行する処理を示すフローチャートである。
【図３】図１の携帯電話の使用例を示す図である。
【図４】図３の広告を撮影した際の図１の携帯電話のディスプレイの表示を示す図である。
【図５】図１の携帯電話の使用例を示す図である。
【図６】図５の広告を撮影した際の図１の携帯電話のディスプレイの表示を示す図である。
【図７】本発明に係る広告システムを構成するＷＷＷサーバーを例示する図である。
【図８】図７の団体Ｂが行う広告を例示する図である。
【図９】図７のメーカーＣが行う広告を例示する図である。
【図１０】図７のメーカーＣが行う広告を例示する図である。
【図１１】図７の団体Ｄが行う広告を例示する図である。
【符号の説明】
１  携帯電話、  ２  ＣＣＤカメラ、  １１, １２, ３１〜３４  広告、  １１ａ, １２ａ, ３１ａ〜３４ａ  広告に表示されたＵＲＬ、  ２１ＷＷＷサーバー
【図１】
0004655415.tif 000002
【図２】
0004655415.tif 000003
【図３】
0004655415.tif 000004
【図４】
0004655415.tif 000005
【図５】
0004655415.tif 000006
【図６】
0004655415.tif 000007
【図７】
0004655415.tif 000008
【図８】
0004655415.tif 000009
【図９】
0004655415.tif 000010
【図１０】
0004655415.tif 000011
【図１１】
0004655415.tif 000012